(57)【要約】【課題】ディジタル画像を編集する際の視認性を向上でき、且つディジタル画像を効率よく編集できる画像編集プログラム、方法及び装置を提供する。【解決手段】編集対象画像の縮小画像１５を第一領域１１に一覧表示する縮小画像表示手段、縮小画像１５の選択を受け付ける選択受付手段、選択された縮小画像１５に関連付けられている編集対象画像に対する編集条件の設定を受け付ける設定受付手段、編集条件を選択された縮小画像１５に関連付けられている編集対象画像に関連付ける関連付け手段、選択された縮小画像１５を設定された編集条件に基づいて編集して確認画像１６を作成する第一編集手段、第二領域１２に確認画像１６を一覧表示する確認画像表示手段、及び編集対象画像を各編集対象画像に関連付けられている編集条件に基づいて一括して編集する第二編集手段、としてコンピュータを機能させる。【選択図】  図１
2004282481.tif 000002
【特許請求の範囲】
【請求項１】
編集対象画像の縮小画像を第一領域に一覧表示する縮小画像表示手段、
前記第一領域に一覧表示されている縮小画像の選択を受け付ける選択受付手段、
選択された縮小画像に関連付けられている編集対象画像に対する編集条件の設定を受け付ける設定受付手段、
設定された編集条件を選択された縮小画像に関連付けられている編集対象画像に関連付ける関連付け手段、
選択された縮小画像を設定された編集条件に基づいて編集して確認画像を作成する第一編集手段、
前記第一領域に重ならない第二領域に確認画像を一覧表示する確認画像表示手段、及び
編集対象画像を各編集対象画像に関連付けられている編集条件に基づいて一括して編集する第二編集手段、
としてコンピュータを機能させることを特徴とする画像編集プログラム。
【請求項２】
前記設定受付手段は、前記第一領域と前記第二領域とに重ならない第三領域に設定メニューを表示することを特徴とする請求項１に記載の画像編集プログラム。
【請求項３】
前記確認画像表示手段は、編集条件が設定される度に前記第一領域と前記第二領域とに重ならない第四領域に１つの確認画像を拡大して表示することを特徴とする請求項１又は２に記載の画像編集プログラム。
【請求項４】
前記第一編集手段は、設定された編集条件を確認画像に関連付け、
前記第二領域に一覧表示されている確認画像の選択を受け付ける再選択受付手段、
選択された確認画像に関連付けられている編集条件を前記設定メニューの初期値として表示し、編集条件の再設定を受け付ける再設定受付手段、
として更にコンピュータを機能させることを特徴とする請求項１、２又は３に記載の画像編集プログラム。
【請求項５】
編集対象画像の縮小画像を第一領域に一覧表示する縮小画像表示段階と、
前記第一領域に一覧表示されている縮小画像の選択を受け付ける選択受付段階と、
選択された縮小画像に関連付けられている編集対象画像に対する編集条件の設定を受け付ける設定受付段階と、
設定された編集条件を選択された縮小画像に関連付けられている編集対象画像に関連付ける関連付け段階と、
選択された縮小画像を設定された編集条件に基づいて編集して確認画像を作成する第一編集段階と、
前記第一領域に重ならない第二領域に確認画像を一覧表示する確認画像表示段階と、
編集対象画像を各編集対象画像に関連付けられている編集条件に基づいて一括して編集する第二編集段階と、
を含むことを特徴とする画像編集方法。
【請求項６】
編集対象画像の縮小画像を第一領域に一覧表示する縮小画像表示手段と、
前記第一領域に一覧表示されている縮小画像の選択を受け付ける選択受付手段と、
選択された縮小画像に関連付けられている編集対象画像に対する編集条件の設定を受け付ける設定受付手段と、
設定された編集条件を選択された縮小画像に関連付けられている編集対象画像に関連付ける関連付け手段と、
選択された縮小画像を設定された編集条件に基づいて編集して確認画像を作成する第一編集手段と、
前記第一領域に重ならない第二領域に確認画像を一覧表示する確認画像表示手段と、
編集対象画像を各編集対象画像に関連付けられている編集条件に基づいて一括して編集する第二編集手段と、
を備えることを特徴とする画像編集装置。
【発明の詳細な説明】
【０００１】
【発明の属する技術分野】
本発明は画像編集プログラム、方法及び装置に関する。
【０００２】
【従来の技術】
ディジタル画像に対して、階調数の変更、輝度調整、コントラスト、解像度、回転などの編集を行うことが可能な画像編集プログラムが知られている（例えば特許文献１参照。）。ディジタルスチルカメラの普及により写真がディジタル画像として記録される機会が増え、それに伴い画像編集プログラムが利用される機会も増えている。画像編集プログラムを実行するパーソナルコンピュータなどの画像編集装置の多くは、ディジタル画像の選択、及び選択されたディジタル画像を編集するための編集条件の設定を受け付け、設定された編集条件に基づいてディジタル画像を逐一編集し、編集後のディジタル画像を編集前のディジタル画像に置き換えて表示している。
【０００３】
【特許文献１】
特開平２−２６８３７０号公報
【０００４】
【発明が解決しようとする課題】
しかしながら従来の画像編集プログラムによると、編集後のディジタル画像を表示させているとき、編集前のディジタル画像がどのようなディジタル画像であったかがわかりにくく視認性が悪いという問題がある。また、設定された編集条件に基づいて複数のディジタル画像を逐一編集すると、編集条件の設定と編集の指示とを繰り返さなければならないため、ユーザは全てのディジタル画像の編集が終了するまで操作のために拘束されるという問題がある。ディジタル画像の編集には時間がかかるため、ユーザは長時間拘束されることになる。
【０００５】
本発明は、かかる問題に鑑みて創作されたものであって、ディジタル画像を編集する際の視認性を向上でき、且つディジタル画像を効率よく編集できる画像編集プログラム、方法及び装置を提供することを目的とする。
【０００６】
【課題を解決するための手段】
上記目的を達成するため、本発明に係る画像編集プログラムは、編集対象画像の縮小画像を第一領域に一覧表示する縮小画像表示手段、第一領域に一覧表示されている縮小画像の選択を受け付ける選択受付手段、選択された縮小画像に関連付けられている編集対象画像に対する編集条件の設定を受け付ける設定受付手段、設定された編集条件を選択された縮小画像に関連付けられている編集対象画像に関連付ける関連付け手段、選択された縮小画像を設定された編集条件に基づいて編集して確認画像を作成する第一編集手段、第一領域に重ならない第二領域に確認画像を一覧表示する確認画像表示手段、及び編集対象画像を各編集対象画像に関連付けられている編集条件に基づいて一括して編集する第二編集手段、としてコンピュータを機能させることを特徴とする。この画像編集プログラムによると、縮小画像が第一領域に一覧表示され、選択された縮小画像を設定された編集条件に基づいて編集して作成した確認画像が第二領域に一覧表示されるので、編集前と編集後のディジタル画像とを一画面で見比べることができ視認性がよい。また、第二領域に確認画像を表示すると、第一領域に表示した縮小画像のうちどの縮小画像に対して編集条件を設定済みであるかを把握することができるため、編集条件を設定済みの縮小画像を判別する際の視認性がよい。また、この画像編集プログラムによると、複数の編集対象画像に対する編集が各編集対象画像に対して編集条件が設定された後に一括して行われるため、ユーザは編集対象画像に対して一括して編集する処理が開始された後は操作のために拘束されることがない。従ってユーザは一括して編集する処理が開始された後は別の作業を行うことが可能になり、ユーザにとって作業効率がよい。よってこの画像編集プログラムによると、ディジタル画像を編集する際の視認性を向上でき、且つディジタル画像を効率よく編集できる。
【０００７】
さらに本発明に係る画像編集プログラムの設定受付手段は、第一領域と第二領域とに重ならない第三領域に設定メニューを表示することを特徴とする。この画像編集プログラムによると、選択した縮小画像と選択した縮小画像に設定した編集条件とを同時に確認することができるのでの視認性が更に向上する。
さらに本発明に係る画像編集プログラムの確認画像表示手段は、編集条件が設定される度に第一領域と第二領域とに重ならない第四領域に１つの確認画像を拡大して表示することを特徴とする。この画像編集プログラムによると、確認画像が拡大して表示されるので視認性が更に向上する。
【０００８】
さらに本発明に係る画像編集プログラムの第一編集手段は、設定された編集条件を確認画像に関連付け、第二領域に一覧表示されている確認画像の選択を受け付ける再選択受付手段、選択された確認画像に関連付けられている編集条件を設定メニューの初期値として表示し、編集条件の再設定を受け付ける再設定受付手段、として更にコンピュータを機能させることを特徴とする。この画像編集プログラムによると、確認画像を選択して編集条件を設定することで、選択した確認画像に関連付けられている編集条件を再設定できる。このとき設定メニューには前回設定された編集条件が初期値として表示されるため、ユーザは編集条件を一から設定し直す必要がない。よって編集条件を効率よく再設定できる。
【０００９】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明はプログラムの発明として特定できるだけでなく、そのプログラムを記録した記録媒体の発明としても、方法の発明としても、装置の発明としても特定することができる。
【００１０】
【発明の実施の形態】
以下、本発明の実施の形態を実施例に基づいて説明する。
図２は、本発明の一実施例に係る画像編集装置１のハードウェア構成を示すブロック図である。画像編集装置１はＣＰＵ３１、ＲＯＭ３２、ＲＡＭ３３、縮小画像表示手段としての表示装置３５、選択受付手段としての入力装置３４、及び外部記憶装置３６を備え、これらはバス３７で相互に接続されている。
【００１１】
ＣＰＵ３１はＲＯＭ３２や外部記憶装置３６に記憶されたプログラムを実行して画像編集装置１の全体を制御する。また、ＣＰＵ３１は外部記憶装置３６に記憶された画像編集プログラムを実行することで縮小画像表示手段、選択受付手段、設定受付手段、関連付け手段、第一編集手段、確認画像表示手段、第二編集手段、再選択受付手段、及び再設定受付手段としても機能する。ＲＡＭ３３は各種のプログラムやデータを一時的に記憶するメモリであり、ＲＯＭ３２は各種のプログラムやデータを予め記憶しているメモリである。これらのプログラムやデータは所定のサーバからネットワークを介してダウンロードして入力してもよいし、図示しないリムーバブルメモリ等のコンピュータ読み取り可能な記憶媒体から読み出して入力してもよい。
【００１２】
入力装置３４はマウスやキーボードなどで構成され、選択受付手段として用いられる他、設定受付手段、再選択受付手段、及び再設定受付手段としても用いられる。
表示装置３５はＣＲＴやＬＣＤ（Ｌｉｑｕｉｄ  Ｃｒｙｓｔａｌ  Ｄｉｓｐｌａｙ）などのディスプレイや、ディスプレイ制御部などを備える。ディスプレイ制御部はＶＲＡＭ、駆動回路などを有し、ＣＰＵ３１によって制御され、画像編集画面１０（図１参照）をディスプレイに表示させる。表示装置３５は縮小画像表示手段としても用いられ、表示した画像編集画面１０の第一領域に縮小画像を一覧表示する。また、表示装置３５は確認画像表示手段としても用いられ、画像編集画面１０の第二領域に確認画像を一覧表示するとともに、第四領域に確認画像を拡大して表示する。また、設定受付手段としても用いられ、画像編集画面１０の第三領域に設定メニューを表示する。
【００１３】
外部記憶装置３６はハードディスクなどで構成され、オペレーティングシステム（ＯＳ）、画像編集プログラムなどの各種のプログラムが記憶されている他、編集対象画像と編集対象画像の縮小画像とが互いに関連付けられて記憶されている。編集対象画像と縮小画像とは具体的には例えばそれぞれの画像を格納するファイルのファイル名中に一意に識別可能な同一の文字列が含まれることで互いに関連付けられている。
【００１４】
図１は、画像編集装置１が表示する画像編集画面１０を示す模式図である。画像編集画面１０は第一領域１１、第二領域１２、第三領域１３及び第四領域１４から構成されている。図示するようにそれら４つの領域は重なっていない。第一領域１１は縮小画像を一覧表示するための領域である。画像１５は縮小画像を表している。第二領域１２は選択された縮小画像を設定された編集条件に基づいて編集して作成した確認画像を一覧表示するための領域である。画像１６は確認画像１６を表している。［一括編集］ボタン１８は、編集対象画像を各編集対象画像に関連付けられている編集条件に基づいて一括して編集する処理の実行をユーザが指示するためのボタンである。確認画像を表示すると、ユーザは編集対象画像を実際に編集した画像ではなく縮小画像を編集した画像で編集結果を確認できる。縮小画像を編集する処理は編集対象画像を編集する処理に比べて処理時間が短いため、納得のいく編集結果を得るまで編集条件の設定と編集結果の確認とを繰り返すことを短時間で行うことができる。第三領域１３は設定メニュー２１を表示するための領域である。図示する例の設定メニュー２１は”階調数”、”輝度”、”コントラスト”、”解像度”及び”回転”というメニューを備えており、それらのメニューで選択される項目あるいは入力される値が編集条件として設定される。設定メニューとして表示するメニューは適宜選択可能な設計事項である。［一括編集候補に追加］ボタン１９は、選択した縮小画像を編集して確認画像を作成する処理の実行をユーザが指示するためのボタンである。第四領域１４は確認画像を拡大して表示するための領域である。画像２０は拡大された確認画像を表している。確認画像を拡大して表示すると確認画像の視認性が向上する。尚、設定メニュー２１で項目の選択や値の入力が行われる度に確認画像を作成し、作成する度に拡大して第四領域１４に表示するようにしてもよい。
【００１５】
図３は、画像編集プログラムのデータフロー図である。画像編集プログラムは、ＧＵＩプロセス４１、縮小画像の編集プロセス４２及び編集対象画像の一括編集プロセス４３をコンピュータに実行させる。尚、ここでいうコンピュータとはＣＰＵ３１、ＲＡＭ３３、及びそれらをバス３７に接続する図示しないインタフェースのことをいう。
【００１６】
ＧＵＩプロセス４１は、画像を編集するためのＧＵＩをユーザに提供するプロセスである。具体的には、ＧＵＩプロセス４１は前述した画像編集画面１０を表示装置３５に表示し、以下に説明する（１）〜（８）の各処理を実行する。
（１）  編集対象画像の縮小画像を画像編集画面１０の第一領域１１に一覧表示する処理。具体的には例えば、外部記憶装置３６のディレクトリを選択するための図示しない画面を表示し、ユーザにより選択されたディレクトリに記憶されている縮小画像を全て読み込んで第一領域１１に一覧で表示する。
【００１７】
（２）  第一領域１１に一覧表示されている縮小画像の選択を受け付ける処理。具体的には例えば、第一領域１１に一覧表示した縮小画像がユーザによりマウスでクリックされると、ＧＵＩプロセス４１はクリックされた縮小画像を選択された縮小画像として受け付ける。
（３）  選択された縮小画像に関連付けられている編集対象画像に対する編集条件の設定を受け付ける処理。具体的には例えば、図１に示すように設定メニュー２１を表示し、編集条件が設定された後にユーザにより［一括編集候補に追加］ボタン１９が押下されると、ＧＵＩプロセス４１は設定メニュー２１で選択された項目あるいは入力された値を編集条件として受け付ける。これにより編集条件の設定を受け付ける。尚、設定メニュー２１で項目の選択や値の入力が行われる度に確認画像を作成して第四領域に表示する場合は、ＧＵＩプロセス４１は、確認画像２０が第二領域１２にドラッグアンドドロップされることで編集対象画像に対する編集条件を受け付ける。
【００１８】
（４）  設定された編集条件を選択された縮小画像に関連付けられている編集対象画像に関連付ける処理。具体的には例えば、編集条件の設定を受け付けると、ＧＵＩプロセス４１は設定された編集条件と選択された縮小画像に関連付けられている編集対象画像のパスとを図４に示す関連付けテーブルの同一行に格納する。格納後、縮小画像のパスを縮小画像の編集プロセス４２に出力する。
【００１９】
図４は、関連付けテーブルを示す模式図である。編集条件と編集対象画像とは関連付けテーブルにおいて編集条件と編集対象画像のパスとが同一行に格納されることで関連付けられる。ここで画像のパスとは画像を格納しているファイルを一意に特定するための情報のことをいい、デバイス名、ディレクトリ名、ファイル名などで構成される。関連付けテーブルには更に図示するように確認画像のパスを格納するための列が設けられており、関連付けテーブルは後述する縮小画像の編集プロセス４２が編集条件を確認画像に関連付けるためにも用いられる。
【００２０】
（５）  第二領域１２に確認画像を一覧表示する処理。具体的には例えば、後述する縮小画像の編集プロセス４２から確認画像のパスが出力されると、ＧＵＩプロセス４１は第二領域１２の表示をクリアした後、当該パスで特定される確認画像も含め外部記憶装置３６の所定のディレクトリに記憶されている確認画像を全て読み込んで第二領域１２に表示する。
【００２１】
（６）  編集条件が設定される度に第四領域に１つの確認画像を拡大して表示する処理。具体的には例えば、後述する縮小画像の編集プロセス４２から確認画像のパスが出力されると、当該パスで特定される確認画像を拡大して第四領域１４に拡大して表示する。
（７）  第二領域１２に一覧表示されている確認画像の選択を受け付ける処理。具体的には例えば、第二領域１２に一覧表示した確認画像がユーザによりマウスでクリックされると、ＧＵＩプロセス４１はクリックされた確認画像を選択された確認画像として受け付ける。
【００２２】
（８）  選択された確認画像に関連付けられている編集条件を設定メニュー２１の初期値として表示し、編集条件の再設定を受け付ける処理。具体的には例えば、確認画像の選択を受け付けると、関連付けテーブルにおいて当該確認画像に関連付けられている編集条件を設定メニュー２１に初期値として表示する。初期値として表示するとは、例えば確認画像に関連付けられている編集条件の”階調数”に”１６”が設定されていれば設定メニュー２１の階調数メニューの”１６ビット”を選択された状態とする。他のメニューについても同様である。設定メニュー２１に前回設定された編集条件を初期値として表示すると、ユーザは編集条件を一から設定し直す必要がないため効率がよい。設定メニュー２１で編集条件が再設定された後、ユーザにより［一括編集候補に追加］ボタン１９が押下されると、もしくは確認画像２０が第二領域１２にドラッグアンドドロップされると、ＧＵＩプロセス４１は選択された項目あるいは入力された値を再設定された編集条件とし、関連付けテーブルにおいて、選択された確認画像のパスと同じ行に格納されている編集条件を再設定された編集条件で上書きする。これにより再設定を受け付ける。受け付け後、選択された確認画像のパスを縮小画像の編集プロセス４２に出力する。
【００２３】
尚、本実施例のＧＵＩプロセス４１は上記の各処理に加え、確認画像を削除する処理も実行する。第二領域１２に表示した画像１６のいずれかをユーザがマウスで”削除”アイコンにドラッグアンドドロップすると、ＧＵＩプロセス４１はドラッグアンドドロップされた画像１６を第二領域１２から削除すると共に、当該画像１６を表す確認画像のパスが格納されている行を関連付けテーブルから削除する。従って、設定された編集条件は破棄されることになる。
【００２４】
縮小画像の編集プロセス４２は、選択された縮小画像を設定された編集条件に基づいて編集して確認画像を作成するプロセスである。また、縮小画像の編集プロセス４２は設定された編集条件を確認画像に関連付けるプロセスでもある。ＧＵＩプロセス４１から縮小画像のパス又は確認画像のパスが出力されると、縮小画像の編集プロセス４２は先ず当該パスが縮小画像のパスであるか確認画像のパスであるかを判定する。この判定は、例えばパス中に所定のディレクトリ名が含まれるか否かで判定する。縮小画像のパスである場合は、当該パスで特定される縮小画像を外部記憶装置３６から読み込み、当該縮小画像に関連付けられている編集対象画像に関連付けられている編集条件に基づいて編集して確認画像を作成する。作成後、作成した確認画像を外部記憶装置３６の所定のディレクトリに記憶する。次に、記憶した確認画像を一意に特定するためのパスを、関連付けテーブルにおいて当該縮小画像に関連付けられている編集対象画像のパスが格納されている行に格納する。これにより編集条件を確認画像に関連付ける。また、確認画像のパスである場合は、当該確認画像に既に関連付けられている編集条件に基づいて、当該編集条件に関連付けられている編集対象画像に関連付けられている縮小画像を編集して確認画像を作成し直し、外部記憶装置３６の所定のディレクトリに上書き保存する。
【００２５】
編集対象画像の一括編集プロセス４３は、編集対象画像を各編集対象画像に関連付けられている編集条件に基づいて一括して編集するプロセスである。編集対象画像の一括編集プロセス４３はＧＵＩプロセス４１から一括編集を指示されると、関連付けテーブルに格納されている編集対象画像のパスを一つ取得する。次に、当該パスで特定される編集対象画像を外部記憶装置３６から読み込み、読み込んだ編集対象画像を関連付けテーブルにおいて当該パスと同じ行に格納されている編集条件に基づいて編集する。ここで編集とは、編集条件として設定された値をパラメータとして編集対象画像に画像処理を施すことをいう。例えば編集対象画像の色数が２４ビット、すなわち１６７７７２１６色で表現されており、編集条件の階調数に１６という値が設定されたとすると、編集対象画像が１６７７７２１６色で表されるよう減色する処理を施す。編集条件として設定されるその他の値についても同様である。これを関連付けテーブルに格納されている全ての編集対象画像のパスについて繰り返す。これによりユーザからの一度の編集指示に対して一つ以上の編集対象画像が一括して編集されることになる。
【００２６】
図５は、画像編集装置１の処理の流れを示すシーケンスチャートである。本シーケンスはユーザが所定の操作により画像編集プログラムの実行を指示することで開始される。
Ｓ１０５では、ＧＵＩプロセス４１は始めに画像編集画面１０を表示装置３５に表示するとともに、ユーザにより指定されたディレクトリに記憶されている縮小画像を全て読み込み、画像編集画面１０の第一領域１１に一覧表示する。
【００２７】
Ｓ１１０では、ユーザは入力装置３４を操作して第一領域１１に表示された縮小画像を、又、再設定の場合であれば第二領域１２に表示された確認画像を一つ選択する。
Ｓ１１５では、選択した縮小画像に関連付けられている編集対象画像に対する編集条件を画像編集画面１０の第三領域１３に表示される設定メニュー２１を用いて設定する。あるいは選択した確認画像に関連付けられている編集条件に関連付けられている編集対象画像に対する編集条件を設定メニュー２１を用いて再設定する。設定後、ユーザは［一括編集候補に追加］ボタン１９を押下することで、もしくは確認画像２０を第二領域１２にドラッグアンドドロップすることで、設定の終了をＧＵＩプロセス４１に通知する。
【００２８】
Ｓ１２０では、ＧＵＩプロセス４１は設定された編集条件を編集対象画像に関連付ける。再設定の場合は確認画像に関連付けられている編集条件を上書きする。
Ｓ１２５では、選択された縮小画像のパス、又は選択された確認画像のパスを縮小画像の編集プロセス４２に出力する。
【００２９】
Ｓ１３０では、縮小画像の編集プロセス４２は出力されたパスで特定される縮小画像を外部記憶装置３６から読み込み、編集条件に基づいて編集して確認画像を作成し、外部記憶装置３６の所定のディレクトリに記憶させる。Ｓ１１０で確認画像が選択されている場合は、既に存在する確認画像を新たに作成した確認画像で上書きする。
【００３０】
Ｓ１３５では、確認画像を編集条件に関連付ける。Ｓ１１０で確認画像が選択されている場合は何もしなくてよい。
Ｓ１４０では、確認画像のパスをＧＵＩプロセス４１に出力する。
Ｓ１４５では、ＧＵＩプロセス４１は出力された確認画像のパスで特定される確認画像を読み込んで第四領域１４に拡大して表示する。
【００３１】
Ｓ１５０では、所定のディレクトリに記憶されている全ての確認画像を画像編集画面１０の第二領域１２に一覧表示する。
Ｓ１５５では、ユーザは必要に応じてＳ１１０及びＳ１１５を繰り返した後、［一括編集］ボタンをクリックして一括編集を指示する。図５に示す破線枠５０は、繰り返し実行される処理を示している。
【００３２】
Ｓ１６０では、ＧＵＩプロセス４１は編集対象画像の一括編集プロセス４３に一括編集を指示する。
Ｓ１６５では、編集対象画像の一括編集プロセス４３は編集対象画像を一括して編集する。
以上説明した本発明の一実施例に係る画像編集プログラムによると、図１に示すように縮小画像が第一領域１１に一覧表示され、確認画像が第二領域１２に一覧表示されるので、編集前と編集後のディジタル画像とを一画面で見比べることができ視認性がよい。また、第二領域１２に確認画像を表示すると、第一領域１１に表示した縮小画像のうちどの縮小画像に対して編集条件を設定済みであるかを把握することができるため、編集条件を設定済みの縮小画像を判別する際の視認性がよい。また、この画像編集プログラムによると、ユーザは図５のＳ１５５で一括編集を指示した後は、画像編集装置１による編集対象画像の一括編集と並行して別の作業を行うことが可能になり、ユーザにとって作業効率がよい。よってディジタル画像を効率よく編集できる。
【図面の簡単な説明】
【図１】画像編集プログラムが表示する画面を示す模式図である。
【図２】画像編集装置のハードウェア構成を示すブロック図である。
【図３】画像編集プログラムのデータフロー図である。
【図４】関連付けに用いられるテーブルを示す模式図である。
【図５】画像編集プログラムの処理を示すシーケンスチャートである。
【符号の説明】
１  画像編集装置、１０  画像編集画面、１１  第一領域、１２  第二領域、１３  第三領域、１４  第四領域、１５  縮小画像、１６  確認画像、２０  確認画像、２１  設定メニュー、３１  ＣＰＵ（縮小画像表示手段、選択受付手段、設定受付手段、関連付け手段、第一編集手段、確認画像表示手段、第二編集手段、再選択受付手段、再設定受付手段）、３４  入力装置（選択受付手段、設定受付手段、再選択受付手段、再設定受付手段）、３５  表示装置（縮小画像表示手段、確認画像表示手段）
【図１】
2004282481.tif 000003
【図２】
2004282481.tif 000004
【図３】
2004282481.tif 000005
【図４】
2004282481.tif 000006
【図５】
2004282481.tif 000007